(57)【要約】【課題】のどに詰まらせた餅その他の固形物等を簡単かつ迅速に取り出すことができる、固形物等の吸引除去装置を提供する。【解決手段】口の中に挿入する吸引管１と、吸引ポンプ６と、一端を吸引管側と接続すると共に他端をポンプ６へ吸引口６１と接続した吸引用ホース５と、ポンプ６のモータ６２のスイッチ６３のＯＮ・ＯＦＦを操作するスイッチ操作部６７とを備える。吸入管を口の中に挿入し、スイッチ操作部を操作してポンプを駆動して固形物等を吸引管で吸引させて除去する。【選択図】図１
0003136605.tif 000002
【実用新案登録請求の範囲】
【請求項１】
口の中に挿入する吸引管と、吸引ポンプと、一端を前記吸引管側と接続すると共に他端を前記ポンプの吸引口と接続した吸引用ホースと、前記ポンプのモータのスイッチのＯＮ・ＯＦＦを操作するスイッチ操作部とを備えてなることを特徴とする、のど用固形物等の吸引除去装置。
【請求項２】
前記吸引管と前記ホースとの間に介装して設けたフィルタ収容部と、この収容部内に取出し可能に収納したフィルタ部材とをさらに備えていることを特徴とする、請求項１に記載ののど用固形物等の吸引除去装置。
【考案の詳細な説明】
【技術分野】
【０００１】
本考案は、のど用固形物等の吸引除去装置に関する。さらに詳しくは、食事中等において、のどに詰まらせた餅やゼリーその他の固形物等を吸引して除去する吸引除去装置に関するものである。
【背景技術】
【０００２】
一般に、食事中等において、例えば、高齢者や子供等が餅やゼリー等の固形物等を詰まらせることがある。また、子供等がアメ玉やビー玉等をのどに詰まらせることもある。上記のような事態が生じた場合、前記固形物を自力で吐き出せないことがある。このような場合には、家族等が手助けして、前記餅等の固形物を取り出してもらうことがある。しかし、家族等が手助けしても固形物等を取り出せない場合があり、このような際には１１９番に電話して救急車を呼んで病院や医院で前記固形物を取り出してもらうことがよくある。
【０００３】
上記のように、のどに固形物等を詰まらせると脳に酸素がいかなくなるため、一刻も早く固形物等を取り除くことが肝要である。しかし、１１９番通報を受けてから救急車が現場に到着するまでの全国平均時間は５〜６分であるといわれているが、諸般の事情等により到着時間が遅れることがある。その結果、手遅れになることがある。
【０００４】
従来、前後に口蓋を有する中空管の一端に、口の中へ挿入するノズルを設けると共に他端に吹き込み口を設けた携帯用緊急人工呼吸器（従来例）が提案されている（例えば、特許文献１参照）。この従来例は、仮死状態や窒息状態等の人事不省のときに応急的に使用するもので、ノズルを口の中へ挿入し、吹き込み口から空気（息）を吹き込んで、蘇生するために使用するものである。従来例によれば、窒息状態等の患者に対して応急的に蘇生させるために有効的である。しかし、従来例のものでは、のどに詰まっている餅その他の固形物を取り出し用としては利用することができない。
【０００５】
上記したように、餅その他の固形物等をのどに詰まらせることは多く見受けられるが、救急車の現場到着が遅れたために手遅れになり、その結果、死亡事故になることがある。しかし、固形物等をのどに詰まらせた際、これを家族等或いは自力によって簡単に取り出すことができる装置は未だ提案されていない。
【特許文献１】実用新案登録第３０６７５１６号公報
【考案の開示】
【考案が解決しようとする課題】
【０００６】
本考案は上記のような実情に鑑みてなされたもので、のどに詰まらせた固形物等を簡単かつ迅速に取り出すことができる、のど用固形物等の吸引除去装置を提供することを目的とするものである。
【課題を解決するための手段】
【０００７】
上記目的を達成するため、本考案のうちの１つの考案（第１の考案）ののど用固形物等の吸引除去は、口の中に挿入する吸引管と、吸引ポンプと、一端を前記吸引管側と接続すると共に他端を前記ポンプの吸引口と接続した吸引用ホースと、前記ポンプのモータのスイッチのＯＮ・ＯＦＦを操作するスイッチ操作部とを備えてなることを特徴とする。
【０００８】
上記のように構成すると、固形物等をのどに詰まらせた者の口の中へ吸引管を挿入し、その状態でモータのスイッチをＯＮにしてポンプを駆動すると、のどに詰まっている固形物等は吸引管で吸引される。したがって、固形物等を円滑に吸引して簡単に取り出すことができる。
【０００９】
本考案のうち他の１つの考案（第２の考案）は、第１の考案ののど用固形物等の吸引除去装置において、前記吸引管と前記ホースとの間に介装して設けたフィルタ収容部と、この収容部内に取出し可能に収納したフィルタ部材とをさらに備えていることを特徴とする。第２の考案の構成を採用すると、吸引管で吸引した固形物等は、フィルタ収容部内に捕集される。
【考案の効果】
【００１０】
本考案によれば次のような効果を奏する。（１）のどに詰まらせた餅その他の固形物等を簡単、かつ迅速良好に吸引して除去することができる。（２）前記作業は家族等が行えることは勿論、自分自身が単独で操作して行うことができる。（３）第２の考案によれば、前記諸効果に加え、吸引除去した固形物等をフィルタ収容部内に捕集することができる。
【考案を実施するための最良の形態】
【００１１】
以下、図面を参照して本考案の停止旗の最良の実施の形態の一例を説明する。図１は本考案の一実施の形態ののど用固形物の吸引除去装置の全体構成を概略的に示す説明図、図２は前記吸引除去装置の一部を拡大して示す説明図、図３はフィルタの構成を概略的に示す説明図、図４はストッパー部材の構成を概略的に示す説明図、図５は鼻クリップの一例の構成を概略的に示す説明図、図６はポンプ等を内側ケースに収納した構成を概略的に示す説明図（ａ）及び前記ケースを持ち運び可能な外箱に収容した構成を概略的に示す説明図、図７は使用状態を示す説明図である。
【００１２】
上記図１〜図７において、この実施の形態の前記吸引除去装置は、吸引管１、ストッパー部材２、握り部３、フィルタ収容部４、吸引用ホース５及び吸引ポンプ６等を備えている。
【００１３】
吸引管１は、プラスチック等で適当な長さ及び太さ（内径）に形成されている。前記サイズは特に限定するものではないが、例えば、長さ約７〜約８ｃｍ程度、内径約１２ｍｍ〜約１７ｍｍ程度の範囲を挙げることができる。吸引管１は、口（口腔）内に挿入し、のどに詰まっている餅その他の固形物等を吸引するものである。上記のように、吸引管１の長さは特に限定するものではないが、短過ぎると前記管１の先端が目的物から遠くなるので、吸引力が弱くなり、吸引作業が円滑にできない場合が生じる。逆に長過ぎると、のど等を損傷する等の問題が生じる。
【００１４】
ストッパー部材２は、吸引管１の口内への挿入長さを規制するものである。実施の形態のストッパー部材２は図４に詳細に示すように、中央部に吸引管１に嵌合する嵌合孔２１を有し、吸引管１に長手方向に摺動自在に嵌合して設けてある。実施の形態では、吸引管１の先端に大径部１１を設けると共に後端に吸引管１より大径に形成した嵌合筒部１２を設けてある。そして、ストッパー部材２は大径部１１及び嵌合筒部１２の間を摺動可能なように吸引管１に嵌合して設けてある。この場合、ストッパー部材２は吸引管１の後端部等に固定して設ける構成を採用してもよい。また、実施の形態のストッパー部材２は、使用時に口の周囲を閉塞する口蓋としての作用も兼用するように構成されている。
【００１５】
握り部３は吸引管１を口の中へ挿入する際に握って挿入操作を円滑に行えるようにするもので、適当な径及び長さの円筒状に形成されている。握り部３は、一端に前記嵌合筒部１２に気密性を保持して嵌入する嵌入筒部３１を、また、他端にフィルタ収容部４の一端に気密性を保持して嵌入する嵌入筒部３２を有している。握り部３は嵌入筒部３１を吸引管１の嵌合筒部１２に嵌入して管１の後端部に接続されている。
【００１６】
フィルタ収容部４は、適当な径及び長さの円筒状に形成されている。フィルタ収容部４は、一端に前記嵌入筒部３２に気密性を保持して着脱自在に嵌合する嵌合部４１を、また、他端に前記ホース５の端部（先端部）に気密性を保持して着脱自在に嵌合する嵌合部４２を有している。フィルタ収容部４にはフィルタ部材４３が取出し可能に収納されている。この実施の形態のフィルタ部材４３は、図３に最も詳細に示すように、適当な径及び長さの円柱状に形成したフィルタ本体４４と、フィルタ本体４４より幾分大径に形成され、フィルタ本体４４の一端面に固定して設けたリング板４５とを有してなっている。
【００１７】
フィルタ部材４３は図２（ｂ）に示すように、リング板４５を嵌合部４２に係合させて収容部４内に取出し可能に収納されている。フィルタ収容部４は嵌合部４１を嵌入筒部３２に嵌合して握り部３の後端部に接続されている。これにより、吸引管１で吸引された固形物等はフィルタ収容部４内に捕集される。上記構成を採用すると、吸引した固形物等がポンプ６内に吸い込まれるのを防止できる。なお、フィルタ部材４３は、図示以外の構成のものを採用できること勿論である。
【００１８】
吸引用ホース５は、軟質プラスチック製の蛇腹管等で適当な径及び長さに形成されている。前記ホース５の長さは特に限定するものではないが、例えば、約５０ｃｍ〜約８０ｃｍ程度のものを採用することができる。前記ホース５の一端（先端）には収容部４の嵌合部４２に気密性を保持して着脱自在に嵌入する嵌入筒部５１が形成されている。前記ホース５は、一端の嵌入筒部５１を嵌合部４２に嵌入（嵌合部４２を嵌入筒部５１へ嵌合）してフィルタ収容部４に接続されている。また、前記ホース５の他端はポンプ６の吸引口６１と接続されている。
【００１９】
吸引ポンプ６はモータ６２により駆動する。ポンプ６はスイッチ６３、安全器６４等を介して電気コード６５と接続されている。コード６５の先端にはプラグ６６が取付けてある。安全器６４は負荷側（モータ６２）等に必要以上の負荷が掛かった場合、モータ６２側への電流を停止（切る）するために設けたものである。モータ６２はスイッチ６３をＯＮ・０ＦＦ（開閉）して駆動・停止する。スイッチ６３はスイッチ操作部６７（図６（ａ）参照）を操作して開閉（ＯＮ・０ＦＦ）する。
【００２０】
この実施の形態の前記吸引除去装置は鼻挟み用の鼻クリップ７を備えている。鼻クリップ７は、図７に示すように、本考案装置を使用する際、被使用者７０の鼻７１を挟んで塞ぐためのものである。
【００２１】
また、この実施の形態の前記吸引除去装置は、図６（ａ）に示すように、吸引ポンプ６及びモータ６２等を内側ボックス８１内に収容して設けてある。そして、図６（ｂ）に示すように、前記ポンプ６等を収容したボックス８１を持ち運び可能な外箱８２内に収容して構成されている。外箱８２の上面には持ち手８３が設けてあると共に正面には開閉自在な閉塞蓋８４が設けてある。また、外蓋８２の適当部（図示では内側ボックス８１の上部側及び側方部）に適当な大きさの収容部８５を備え、前記ホース５，フィルタ収容部４，握り部３，吸引管１，及び電気コード６５等を前記収容部８５内に収容できるように構成してある。そして、本考案装置を使用する際に、図６（ｂ）に仮想線で示すように、蓋８４を開けて各部材を引き出して使用するものである。このように構成すると、装置をコンパクト化できると共に身近に置いて救急具として使用するのに便利になる。図７において、７２は口（口腔）、７３はのど７４に詰まっている餅その他の固形物等を示す。
【００２２】
実施の形態ののど用固形物等の吸引除去装置は上記のように構成したもので、次に、その使用方法の一例等につき説明する。電気コード６５を引き出してプラグ６６をコンセント（図示せず）に差し込む。次に、図７に示すように、握り部３を手で握り、吸引管１を口（口腔）７２の中へ挿入すると共にクリップ７で鼻７１を挟む。この状態でスイッチ操作部６７を押す等、操作してスイッチ６３をＯＮ（閉）にすると、モータ６２によりポンプ６が駆動するので、固形物等７３は吸引管１の先端から吸引され、取り除かれる。前記作業（操作）は家族等に手伝って行えることは勿論、自分自身で簡単に操作して行うことができる。
【００２３】
なお、ポンプ６を駆動するモータ６２の電源として、電池やバッテリー（充電式）を使用することもできる。この構成を採用する場合、電池やバッテリーは外箱８２の適当部に収容するように構成する。
【００２４】
また、本考案の吸引除去装置は、のどに詰まらせた餅，ゼリー，アメ玉、或いはビー玉等の固形物等以外に、例えば、痰がのどにからまって自力で吐き出せない場合、これを吸引除去する際等にも使用できる。
【００２５】
なお、上記した実施の形態は一例として開示したもので、本考案は上記の実施の形態に限定されるものではなく、実用新案登録請求の範囲に記載の技術思想を越脱しない範囲内において任意に変更可能なものである。
【図面の簡単な説明】
【００２６】
【図１】本考案の一実施の形態ののど用固形物等の吸引除去装置の全体構成を概略的に示す説明図である。
【図２】前記吸引除去装置の一部を拡大して示す図であって、同図（ａ）は吸引管部側の構成を概略的に示す縦断面図、同図（ｂ）はフィルタ収容部側の部分の構成を概略的に示す縦断面図、同図（ｃ）はフィルタ収容部の構成を概略的に示す縦断面図である。
【図３】フィルタ部材を示す図であって、同図（ａ）はフィルタ部材の構成を概略的に示す側面図、同図（ｂ）は同じく正面図である。
【図４】ストッパー部材を示す図であって、同図（ａ）はストッパー部材の構成を概略的に示す正面図、同図（ｂ）は同じく側面図、同図（ｃ）は同じく平面図である。
【図５】鼻クリップの一例の構成を概略的に示す正面図である。
【図６】図６（ａ）は吸引ポンプ等を内側ボックスに収容した構成を概略的に示す説明図、図６（ｂ）は前記ボックスを持ち運び可能な外箱に収容した構成を概略的に示す説明図である。
【図７】使用状態を示す説明図である。
【符号の説明】
【００２７】
１      吸引管
５      吸引用ホース
６      吸引ポンプ
６１    吸引口
６２    モータ
６３    スイッチ
６７    スイッチ操作部
【図１】
0003136605.tif 000003
【図２】
0003136605.tif 000004
【図３】
0003136605.tif 000005
【図４】
0003136605.tif 000006
【図５】
0003136605.tif 000007
【図６】
0003136605.tif 000008
【図７】
0003136605.tif 000009